(57)【特許請求の範囲】
【請求項１】
撮像手段と、
前記撮像手段によって撮像する画像のアスペクト比を設定する設定手段と、
前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御手段とを有し、
前記表示制御手段は、前記第２のモードにおいて、前記設定手段で設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする撮像装置。
【請求項２】
前記表示制御手段は、前記設定手段により設定されたアスペクト比での撮影範囲を示す情報及びグリッドラインを前記表示手段に表示することを特徴とする請求項１に記載の撮像装置。
【請求項３】
前記第２のモードでは、前記撮像手段に結像された画像の合焦状態を測定する処理と前記撮像手段に結像された画像の露出状態を測定する処理とのうちの少なくとも何れか一方を実行することを特徴とする請求項１又は２に記載の撮像装置。
【請求項４】
前記表示制御手段は、前記第２のモードにおいて、前記アスペクト比での撮影範囲を示す情報、並びに、焦点検出可能な位置及び測光範囲のうちの少なくとも何れか一方を示す情報以外の情報は非表示にすることを特徴とする請求項１乃至３の何れか１項に記載の撮像装置。
【請求項５】
位相差ＡＦを行うための焦点検出を行う焦点検出手段を更に有し、
前記焦点検出可能な位置は、前記焦点検出手段で焦点検出を行うことが可能な位置であることを特徴とする請求項１に記載の撮像装置。
【請求項６】
前記焦点検出手段は、前記撮像手段で撮像された画像を用いずに焦点検出を行うことを特徴とする請求項５に記載の撮像装置。
【請求項７】
光学ファインダと、
被写体光を前記撮像手段に入射させる第１の位置と、被写体光を前記焦点検出手段と前記光学ファインダに入射させる第２の位置とで移動可能なミラーとを更に有することを特徴とする請求項５又は６に記載の撮像装置。
【請求項８】
ＡＦ動作の開始を指示する撮影準備指示を受け付け可能な受付手段と、
前記表示制御手段が前記第１のモードで表示を行っている際に前記撮影準備指示に応じて前記ミラーを前記第１の位置から前記第２の位置に移動するように制御する制御手段とを更に有し、
前記表示制御手段は、前記制御手段が前記撮影準備指示に応じて前記ミラーを第２の位置に移動したことに応じて、前記第１のモードから前記第２のモードに切り替えることを特徴とする請求項７に記載の撮像装置。
【請求項９】
複数の前記焦点検出可能な位置のうちＡＦ動作時の焦点検出に用いる位置を選択する選択手段を更に有することを特徴とする請求項１乃至８の何れか１項に記載の撮像装置。
【請求項１０】
前記表示制御手段は、複数の前記焦点検出可能な位置のうち、ＡＦ動作によって合焦した位置を識別可能に表示することを特徴とする請求項１乃至９の何れか１項に記載の撮像装置。
【請求項１１】
前記表示制御手段は、前記第１のモードでは表示していた、シャッタスピード、絞り値、露出補正値、調光補正ＯＮ／ＯＦＦ、ＩＳＯ値、撮影可能枚数、バッテリー容量、ホワイトバランス、画像処理状態、画像サイズ、ドライブモード、ＡＦモード、ＡＥロック、ＡＥブラケットＯＮ／ＯＦＦ、ＦＥブラケットＯＮ／ＯＦＦ、ライブビュー画像のヒストグラムの少なくとも一つの情報を、前記第１のモードから前記第２のモードに切り替えたことに応じて非表示とすることを特徴とする請求項１乃至１０の何れか１項に記載の撮像装置。
【請求項１２】
ＡＥを行うための測光を行う測光手段を更に有し、
前記測光範囲は、前記測光手段で測光を行うことが可能な範囲であることを特徴とする請求項１乃至１１の何れか１項に記載の撮像装置。
【請求項１３】
前記測光手段は、前記撮像手段で撮像された画像を用いずに測光を行うことを特徴とする請求項１２に記載の撮像装置。
【請求項１４】
前記第２のモードにおいて、前記表示制御手段によって前記焦点検出可能な位置を表示させるか否か、あるいは／及び前記測光範囲を表示させるか否かをユーザーの操作に応じて予め設定する表示設定手段を更に有することを特徴とする請求項１乃至１３の何れか１項に記載の撮像装置。
【請求項１５】
前記表示制御手段は、前記第２のモードにおいて、焦点検出するのに用いる位置を前記選択手段で選択する際に、前記設定手段で設定されたアスペクト比での撮影範囲を示す情報と、該アスペクト比での撮影範囲内における焦点検出可能な位置及び測光範囲のうちの少なくとも何れか一方が識別可能な表示をするように制御することを特徴とする請求項９に記載の撮像装置。
【請求項１６】
前記表示制御手段は、前記第２のモードにおける、前記設定手段で設定するアスペクト比として複数のアスペクト比のうち何れかを選択する画面において、選択されたアスペクト比での撮影範囲を示す情報と、該アスペクト比での撮影範囲内における焦点検出可能な位置及び測光範囲のうちの少なくとも何れか一方が識別可能な表示をするように制御することを特徴とする請求項１乃至１４の何れか１項に記載の撮像装置。
【請求項１７】
撮像手段によって撮像する画像のアスペクト比を設定する設定ステップと、
前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御ステップとを含み、
前記表示制御ステップは、前記第２のモードにおいて、前記設定ステップで設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする撮像装置の制御方法。
【請求項１８】
コンピュータを、請求項１乃至１６の何れか１項に記載の撮像装置の各手段として機能させるプログラム。
【請求項１９】
コンピュータを、請求項１乃至１６の何れか１項に記載の撮像装置の各手段として機能させるプログラムを格納したコンピュータが読み取り可能な記憶媒体。
【発明の詳細な説明】
【技術分野】
【０００１】
本発明は、撮像手段によって撮像する画角合わせを容易にするための技術に関するものである。
【背景技術】
【０００２】
従来、デジタル一眼レフカメラでは可動ミラーをダウンし、光学ファインダに被写体像を表示させるモードと、可動ミラーをアップし、撮像素子で撮像された画像をリアルタイムに表示部で表示するライブビューモードとを備えるカメラが知られている。
【０００３】
例えば、特許文献１では、ライブビューモードの状態からオートフォーカス動作等を行う際に自動的に可動ミラーを切り替えて光学ファインダに被写体像を表示し、カメラに設定されている情報を表示部に表示する技術が開示されている。
【先行技術文献】
【特許文献】
【０００４】
【特許文献１】特開２００７−１８４９１２号公報
【発明の概要】
【発明が解決しようとする課題】
【０００５】
しかしながら、特許文献１に開示される技術には、撮像素子で撮像された画像と画像のアスペクト比とが異なる場合や、ライブビューを表示する表示部と画像のアスペクト比とが異なる場合に次のような問題がある。即ち、ライブビューモードの状態から自動的に可動ミラーを切り替えてカメラに設定されている情報を表示する際、表示部に被写体像が表示されなくなり、撮影する被写体像の画角合わせがしにくいという問題がある。
【０００６】
そこで、本発明の目的は、撮像手段によって撮像された画像を表示手段に表示しないときに、撮像する被写体の画角合わせを行いやすくすることにある。
【課題を解決するための手段】
【０００７】
本発明の撮像装置は、撮像手段と、前記撮像手段によって撮像する画像のアスペクト比を設定する設定手段と、前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御手段とを有し、前記表示制御手段は、前記第２のモードにおいて、前記設定手段で設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする。
【発明の効果】
【０００８】
本発明においては、撮像手段により撮像された画像データを表示手段に表示させないモードにおいて、設定された画角上における焦点検出可能な位置及び測光範囲のうちの少なくとも何れか一方が識別可能な情報表示を表示手段に行わせるようにしている。従って、本発明によれば、撮像手段によって撮像された画像を表示手段に表示しないときに、撮像する被写体の画角合わせを行いやすくすることが可能となる。
【図面の簡単な説明】
【０００９】
【図１】本発明の実施形態に係る撮像装置の全体構成を示すブロック図である。
【図２】アスペクト比、グリッド表示の設定画面の例を示す図である。
【図３】測光エリアの設定画面の例を示す図である。
【図４】部分測光のエリア、スポット測光のエリア、ＡＦ連動測光のエリアを示す図である。
【図５】本発明の実施形態における、アスペクト比と位相差ＡＦする際の焦点検出位置である枠とを表示する処理を示すフローチャートである。
【図６】撮影情報を表示した状態を示す図である。
【図７】アスペクト比とともに９つの位相差ＡＦ枠を表示した例を示す図である。
【図８】９つの位相差ＡＦ枠と１つの測光エリアとがアスペクト比情報とともに表示された例を示す図である。
【図９】アスペクト比情報とともに１つの位相差ＡＦ枠が表示された例を示す図である。
【図１０】本発明の第２の実施形態における画像情報表示部の表示例を示す図である。
【図１１】ライブビューを行っている場合とライブビューを行っていない場合に位相差ＡＦ枠を選択する際の画面例を示す図である。
【図１２】設定されたアスペクト比の矩形と現在設定されている位相差ＡＦ枠とを同時に表示している例を示す図である。
【発明を実施するための形態】
【００１０】
以下、本発明を適用した好適な実施形態を、添付図面を参照しながら詳細に説明する。
【００１１】
図１は、本発明の実施形態に係る撮像装置の全体構成を示すブロック図である。図１において、１００は撮像装置である。１２は撮像素子１４への露光量を制御するためのシャッタである。１４は光学像を電気信号に変換する撮像素子である。レンズ３１０に入射した光線は、一眼レフ方式によって、絞り３１２、レンズマウント３０６、１０６、ミラー１３０及びシャッタ１２を介して導かれ、光学像として撮像素子１４上に結像する。１６は、撮像素子１４のアナログ信号出力をデジタル信号に変換するＡ／Ｄ変換器である。１８は撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて、撮像した画像データを用いて所定の演算処理を行い、得られた演算結果に基づいてシステム制御回路５０が撮像した画像データを用いて所定の演算処理を行う。そして画像処理回路２０は、得られた演算結果に基づいてＴＴＬ（スルー・ザ・レンズ）方式のＡＷＢ（オートホワイトバランス）処理も行う。２２はメモリ制御回路であり、Ａ／Ｄ変換器１６、タイミング発生回路１８、画像処理回路２０、画像表示メモリ２４、Ｄ／Ａ変換器２６を制御する。Ａ／Ｄ変換器１６からの出力データは、画像処理回路２０及びメモリ制御回路２２を介して、或いは直接メモリ制御回路２２を介して、画像表示メモリ２４に書き込まれる。
【００１３】
２４は画像表示メモリである。２６はＤ／Ａ変換器である。２８はＴＦＴ・ＬＣＤ等から成る画像情報表示部であり、画像表示メモリ２４に書き込まれた表示用の画像データはＤ／Ａ変換器２６を介して画像情報表示部２８により表示される。画像情報表示部２８を用いて撮像した画像データを逐次表示すれば、電子ファインダやライブビュー機能を実現することが可能である。また、画像情報表示部２８は、システム制御回路５０の指示により任意に表示をＯＮ／ＯＦＦすることが可能であり、表示をＯＦＦにした場合には撮像装置１００の電力消費を大幅に低減することができる。画像情報表示部２８には、操作部材７０の操作によって、アスペクト比やグリッド表示等のメニューを表示したり、表示している画像に関する情報を表示したりする。
【００１４】
４０は、測光部４６からの測光情報に基づいて、絞り３１２を制御する絞り制御部３４０と連携しながら、シャッタ１２を制御するシャッタ制御部である。４２はＡＦ（オートフォーカス）処理を行うための焦点検出部である。レンズ３１０に入射した光線は、一眼レフ方式によって、絞り３１２、レンズマウント３０６及び１０６、ミラー１３０そして不図示の焦点検出用サブミラーを介して、焦点検出部４２に入射される。これにより、焦点検出部４２は、光学像として結像された画像の合焦状態を測定することができる（以下、この合焦状態の測定処理を位相差ＡＦと称す）。この際、撮像素子１４には光線が入射されないため、被写体の画像データは画像情報表示部２８に表示されない。
【００１５】
４６はＡＥ（自動露出）処理を行うための測光部である。レンズ３１０に入射した光線は、一眼レフ方式によって、絞り３１２、レンズマウント３０６及び１０６、ミラー１３０及び１３２そして不図示の測光用レンズを介して、測光部４６に入射される。これにより、測光部４６は光学像として結像された画像の露出状態を測定する。この際も、撮像素子１４には光線が入射されないため、被写体の画像データは画像情報表示部２８に表示されない。
【００１６】
５０は、撮像装置１００全体を制御するシステム制御回路であり、各種プログラムを実行することで撮像装置１００の各部を制御する。不揮発性メモリ５１は、システム制御回路５０が実行するプログラムや、撮像された画像を記録するための記録媒体である。不揮発性メモリ５１は撮像装置１００に内蔵されたメモリでもよいし、メモリカード等の着脱可能な記録媒体でもよい。メモリ５２はシステム制御回路５０の動作用の定数や、変数、プログラム等を記憶するメモリであり、システム制御回路５０のワークメモリとして使用される。
【００１７】
６２、６４、６６、６８、７０、７２及び７４は、システム制御回路５０の各種の動作指示を入力するための操作手段であり、スイッチやダイヤル、タッチパネル、視線検知によるポインティング、音声認識装置等の単数或いは複数の組み合わせで構成される。
【００１８】
ここで、これらの操作手段の具体的な説明を行う。６２はシャッタスイッチＳＷ（１）であり、不図示のシャッタボタンの操作途中でＯＮとなる。シャッタスイッチＳＷ（１）６２は、ＡＦ（オートフォーカス）処理、ＡＥ（自動露出）処理、ＡＷＢ（オートホワイトバランス）処理、及びＥＦ（フラッシュ調光）処理等の動作開始を指示する。６４はシャッタスイッチＳＷ（２）であり、不図示のシャッタボタンの操作完了でＯＮとなる。シャッタスイッチＳＷ（２）６４は、撮像素子１４から読み出した信号をＡ／Ｄ変換器１６及びメモリ制御回路２２を介してメモリ３０に画像データを書き込む露光処理、画像処理回路２０やメモリ制御回路２２での演算を用いた現像処理、という一連の処理の動作開始を指示する。
【００１９】
６６はアスペクト比設定部であり、撮影するための画像のアスペクト比を設定できる。そこで設定した内容をシステム制御回路５０に通知することで、設定されたアスペクト比で撮影が可能である。画像情報表示部２８に表示されるアスペクト比を設定する画面例は図２（ａ）に示すようになり、設定値は操作部材７０で選択できる。６８はグリッド設定部であり、画像情報表示部２８上にグリッド表示するか否かを表示する。なお、撮影画角をグリッド表示する場合には、どのような種類のグリッド表示とするかを設定できる。そこで設定した内容がシステム制御回路５０に通知されることで、設定されたグリッド内容が画像情報表示部２８に画像とともに表示される。画像情報表示部２８に表示されるグリッド表示を設定する画面例は図２（ｂ）に示すようになり、設定値は操作部材７０で選択できる。アスペクト比設定部６６、グリッド設定部６８は本発明の設定手段の適用例となる構成である。
【００２０】
７０は各種ボタンやタッチパネル等からなる操作部材であり、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。さらに、操作部材７０は、画像情報表示部２８のＯＮ／ＯＦＦを設定する画像表示ＯＮ／ＯＦＦスイッチを備えている。また、上記プラスボタン及びマイナスボタンの各機能は、回転ダイヤルスイッチや十字スイッチや８方向スイッチを備えることによって、より軽快に数値や機能を選択することが可能となる。
【００２１】
７２はＡＦ枠選択操作部であり、画像情報表示部２８上に焦点検出される位置を設定できる。そこで設定した内容をシステム制御回路５０に通知することで、設定された位置で光学像として結合された画像の合焦状態を測定することができる。また、設定された焦点検出位置を、画像情報表示部２８に表示することができる。７４は測光エリア選択操作部であり、画像情報表示部２８上に測光される位置を設定できる。そこで設定した内容がシステム制御回路５０に通知されることによって、設定された位置で光学像として結合された画像の露出状態を測定することができる。また、設定された測光エリア（測光範囲）を画像情報表示部２８に表示することもできる。画像情報表示部２８に表示される測光エリアを設定する表示例は図３に示すようになり、設定値の選択は操作部材７０で選択できる。測光エリアには、画像中央部４０１を広範囲に測光する部分測光（図４（ａ））、画像中央部付近４０２を測光するスポット測光（図４（ｂ））、ＡＦ位置付近４０３を測光するＡＦ連動測光（図４（ｃ））等がある。即ち、図３の３０１を選択した場合には図４（ａ）に示す部分測光のエリアが選択される。図３の３０２を選択した場合には図４（ｂ）に示すスポット測光のエリアが選択される。図３の３０３を選択した場合には図４（ｃ）に示すＡＦ連動測光のエリアが選択される。
【００２２】
１０４は光学ファインダであり、レンズ３１０に入射した光線を、一眼レフ方式によって、絞り３１２、レンズマウント３０６、１０６、及びミラー１３０、１３２を介して導き、光学像として結像表示する。これにより、画像情報表示部２８による電子ファインダ機能を使用することなしに、光学ファインダ１０４のみを用いて撮影を行うことができる。
【００２３】
１２０は、レンズマウント１０６内において、撮像装置１００をレンズユニット３００と接続するためのインタフェースである。１２２は撮像装置１００をレンズユニット３００と電気的に接続するコネクタである。コネクタ１２２は、撮像装置１００とレンズユニット３００との間で制御信号、状態信号、データ信号等を伝え合うとともに、各種電圧の電流を供給する機能も備えている。また、コネクタ１２２は電気通信のみならず、光通信や音声通信等を伝達する構成としてもよい。
【００２４】
１３０、１３２はミラーであり、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。３００は交換レンズタイプのレンズユニットである。３０６はレンズユニット３００を撮像装置１００と機械的に結合するレンズマウントである。レンズマウント３０６内には、レンズユニット３００を撮像装置１００と電気的に接続する各種機能が含まれている。
【００２５】
３１０は撮影レンズ、３１２は絞りである。３２０は、レンズマウント３０６内において、レンズユニット３００を撮像装置１００と接続するためのインタフェースである。３２２はレンズユニット３００を撮像装置１００と電気的に接続するコネクタである。コネクタ３２２は、撮像装置１００とレンズユニット３００との間で制御信号、状態信号、データ信号等を伝え合うとともに、各種電圧の電流を供給される或いは供給する機能も備えている。また、コネクタ３２２は電気通信のみならず、光通信、音声通信等を伝達する構成としてもよい。
【００２６】
３４０は、測光部４６からの測光情報に基づいて、シャッタ１２を制御するシャッタ制御部４０と連携しながら絞り３１２を制御する絞り制御部である。３４２は、撮影レンズ３１０のフォーカシングを制御する焦点検出制御部である。３４４は撮影レンズ３１０のズーミングを制御するズーム制御部である。３５０はレンズユニット３００全体を制御するレンズシステム制御回路である。レンズシステム制御回路３５０は、動作用の定数、変数、プログラム等を記憶するメモリを備える。また、レンズシステム制御回路３５０は、レンズユニット３００固有の番号等の識別情報、管理情報、開放絞り値や最小絞り値、焦点距離等の機能情報、及び現在や過去の各設定値等を保持する不揮発性メモリの機能も備えている。
【００２７】
図５は、ライブビューモードから光学ファインダ１０４に被写体像を表示させるモードに移行した際に、アスペクト比情報と位相差ＡＦする際の焦点検出位置である枠（位相差ＡＦ枠）とを画像情報表示部２８に表示する処理を示すフローチャートである。なお、本フローチャートに示す処理は、システム制御回路５０が不揮発性メモリ５１に記録されたプログラムをメモリ５２に展開して実行することで実現される。またアスペクト比情報とは、後述する画像情報表示部２８に描画される、設定されたアスペクト比の矩形である。なお、ライブビューモードは本発明の第１のモードの適用例であり、光学ファインダ１０４に被写体像を表示させるモードは本発明の第２のモードの適用例である。
【００２８】
ステップＳ５０１において、システム制御回路５０はライブビューが開始しているか否かを判断する。もし、ライブビューが開始していなければ、ライブビューが開始するのを待つ。ライブビューは、操作部材７０に含まれるライブビューボタンやモード切替ダイヤル等が操作されることで開始される。一方、ライブビューが開始していたら、ステップＳ５０２において、システム制御回路５０はアスペクト比の設定がどのようになっているかメモリ５２から読み込む。
【００２９】
ステップＳ５０３において、システム制御回路５０は画像情報表示部２８に撮像素子１４で撮像された画像を表示してライブビューを開始するとともに、ステップＳ５０２で読み込んだアスペクト比の設定情報を表示する。アスペクト比は、撮影する画像の縦横比であり、アスペクト比設定部６６で設定されるもので、１：１、３：４、４：５、６：７、５：６、５：７、９：１６、２：３等がある。システム制御回路５０は設定されたアスペクト比の矩形（アスペクト比情報）を描画する。またシステム制御回路５０は、撮影情報である、シャッタスピード、絞り値、露出補正値、調光補正ＯＮ／ＯＦＦ、ＩＳＯ値、撮影可能枚数、バッテリー容量、ホワイトバランス、画像処理状態（コントラスト、シャープネス等）、画像サイズ、ドライブモード（単写・連写等）、ＡＦモード（位相差ＡＦ・ビデオＡＦ等）、ＡＥロック、ＡＥブラケットＯＮ／ＯＦＦ、ＦＥブラケットＯＮ／ＯＦＦ、ライブビュー画像のヒストグラムを表示する。図６に画像情報表示部２８において撮影情報を表示した状態を示す。図６では、アスペクト比情報６０１とともに撮影情報の一部６０２を表示した例を示しているが、撮影情報の全てを表示してもよいし、撮影情報のうちの任意のいくつか、あるいは一つを表示してもよい。これらの情報表示はユーザの設定に応じて表示・非表示のモードとしてもよい。
【００３０】
ステップＳ５０５において、システム制御回路５０は、シャッタスイッチＳＷ（１）６２がＯＮであるか否かを判断する。ＯＮでなければＯＮになるまで待つ。シャッタスイッチＳＷ（１）６２がＯＮになったら、ステップＳ５０６において、システム制御回路５０は、ＡＦ（オートフォーカス）処理、ＡＥ（自動露出）処理のためにミラー１３０をアップし、ライブビュー表示を終了する。そして、システム制御回路５０は、撮像画像が表示されない状態で位相差ＡＦ枠を画像情報表示部２８に表示し、アスペクト比設定部６６で設定されたアスペクト比に対応するアスペクト比情報を表示する。これによりアスペクト比情報によって表わされる画角上における位相差ＡＦ枠の位置が識別可能となる。またその際に、システム制御回路５０は、位相差ＡＦ枠とアスペクト比情報以外の画角に関連のない撮影情報を非表示にする。画角に関係のない撮影情報とは、例えばシャッタスピード、絞り値、露出補正値、調光補正ＯＮ／ＯＦＦ、ＩＳＯ値、撮影可能枚数、バッテリー容量、ホワイトバランス、画像処理状態（コントラスト、シャープネス等）、画像サイズ、ドライブモード（単写・連写等）、ＡＦモード（位相差ＡＦ・ビデオＡＦ等）、ＡＥロック、ＡＥブラケットＯＮ／ＯＦＦ、ＦＥブラケットＯＮ／ＯＦＦ、ライブビュー画像のヒストグラムに関する情報である。そのときの画像情報表示部２８には、図７に示すようにアスペクト比情報７０１とともに９つの位相差ＡＦ枠７０２が表示される。この際、グリッド設定部６８でグリッド表示すると設定されている場合は、設定されたグリッド内容に沿ったグリッドラインを表示するようにしてもよい。なお、ステップＳ５０６は本発明の表示制御手段の処理例である。
【００３１】
ステップＳ５０７において、システム制御回路５０は、レンズ３１０に入射した光線を、一眼レフ方式によって、絞り３１２、レンズマウント３０６及び１０６、ミラー１３０そして不図示の焦点検出用サブミラーを介して、焦点検出部４２に入射させる。これにより、システム制御回路５０は、光学像として結像された画像の合焦状態を測定する、位相差ＡＦを開始する。また、システム制御回路５０は、レンズ３１０に入射した光線を、一眼レフ方式によって、絞り３１２、レンズマウント３０６及び１０６、ミラー１３０及び１３２そして不図示の測光用レンズを介して、測光部４６に入射させる。これにより、システム制御回路５０は、光学像として結像された画像の露出状態を測定する、ＡＥ（自動露出）処理や、ＥＦ（フラッシュ調光）処理等の動作開始を指示する。ステップＳ５０８において、システム制御回路５０は、オートフォーカス処理が合焦したか否かを判断し、合焦してなければステップＳ５１２に進み、合焦していれば合焦した位相差ＡＦの位置を赤く表示してステップＳ５０９に進む。
【００３２】
ステップＳ５０９において、システム制御回路５０は、シャッタスイッチＳＷ（２）６４がＯＮであるか否かを判断する。ＯＮでなければステップＳ５１３に進み、ＯＮであればステップＳ５１０に進む。シャッタスイッチＳＷ（２）６４がＯＮになったら、ステップＳ５１０において、システム制御回路５０は、撮像素子１４から読み出した信号をＡ／Ｄ変換器１６及びメモリ制御回路２２を介してメモリ３０に画像データを取り込む。
【００３３】
ステップＳ５１１において、システム制御回路５０は画像取り込みが終了し、撮影が終了したか否かを判断する。撮影が終了していなければ、システム制御回路５０はステップＳ５１０の画像取り込みを継続し、撮影が終了したら、次の撮影のためにステップＳ５０２に戻る。
【００３４】
ステップＳ５１２において、システム制御回路５０はシャッタスイッチＳＷ（１）６２のＯＮが継続しているか否かを判定する。シャッタスイッチＳＷ（１）６２のＯＮが継続していればステップＳ５０８に処理を戻し、シャッタスイッチＳＷ（１）６２のＯＮが継続していなければステップＳ５０２に処理を戻す。ステップＳ５１３において、シャッタスイッチＳＷ（１）６２のＯＮが継続しているか否かを判定する。シャッタスイッチＳＷ（１）６２のＯＮが継続していればステップＳ５０９に処理を戻し、シャッタスイッチＳＷ（１）６２のＯＮが継続していなければステップＳ５０２に処理を戻す。
【００３５】
このように、ライブビューモードから光学ファインダ１０４に被写体像を表示させるモードに移行し、撮像素子１４によって撮像された画像が画像情報表示部２８に表示されない状態となったときに位相差ＡＦ枠やアスペクト比情報を表示するようにしている。これにより、ユーザが撮影しようとしている画角のどの辺りにフォーカスが合焦したかが分かり、画角合わせがやりやすくなる。
【００３６】
またステップＳ５０３において、システム制御回路５０は６３グリッドで設定されたグリッド表示をした場合、ステップＳ５０６において、画角のどの辺りの位相差ＡＦ枠に合焦したかが分かりやすくなる。これにより、撮像素子１４によって撮像された画像が画像情報表示部２８に表示されていなくても、失敗のない撮影が可能となる。
【００３７】
なお、前述のステップＳ５０６では、システム制御回路５０は、ライブビュー表示を終了した上で、位相差ＡＦ枠とアスペクト比設定部６６で設定されたアスペクト比情報とを画像情報表示部２８に表示し、画角に関連のない撮影情報は非表示にした。しかしこれに加えて、ＡＥを行う際の位置である測光エリアの表示をしてもよい。この場合、システム制御回路５０は、ステップＳ５０６において位相差ＡＦ枠、測光エリア、アスペクト比情報を表示し、位相差ＡＦ枠と測光エリアとアスペクト比情報以外の、画角に関連のない撮影情報は非表示にする。具体的には、画像情報表示部２８では、図８に示すように９つの位相差ＡＦ枠８０１と１つの測光エリア８０３とがアスペクト比情報８０２とともに表示される。このとき、グリッド設定部６８でグリッド表示すると設定されていた場合は、設定されたグリッド内容に沿ったグリッドラインを表示するようにしてもよい。
【００３８】
そして、ステップＳ５０７において、システム制御回路５０は、位相差ＡＦに加えてＡＥ（自動露出）処理やＥＦ（フラッシュ調光）処理を開始する。より具体的には、システム制御回路５０は、レンズ３１０に入射した光線を、一眼レフ方式によって、絞り３１２、レンズマウント３０６及び１０６、ミラー１３０及び１３２そして不図示の測光用レンズを介して、測光部４６に入射させる。これにより、光学像として結像された画像の露出状態を測定する、ＡＥ（自動露出）処理や、ＥＦ（フラッシュ調光）処理等の動作開始を指示する。測光エリアは、光学像として結像された画像のどの部分を測光部４６に入射するかで決まり、画像中央部を広範囲に測光する部分測光、画像中央部付近を測光するスポット測光、ＡＦ位置付近を測光するＡＦ連動測光等がある。
【００３９】
このようにすれば、撮像素子１４によって撮像された画像が表示されない状態のときに位相差ＡＦ枠や測光エリアやアスペクト比情報を表示することによって、ユーザが画角のどの辺りにフォーカスが合焦し、測光したかが分かり、画角合わせがやりやすくなる。
【００４０】
また、前述のステップＳ５０６で行なった位相差ＡＦ枠の表示は行わず、代わりに測光エリアの表示を行うものとしてもよい。即ち、前述のステップＳ５０６でライブビュー表示を終了した上で、測光エリアとアスペクト比設定部６６で設定されたアスペクト比情報を表示し、画角に関連のない撮影情報を非表示にしてもよい。この場合の画像情報表示部２８は、図９に示すようにアスペクト比情報９０１とともに測光エリア９０２が表示されることになる。この際、グリッド設定部６８でグリッドを表示すると設定されていた場合は、設定されたグリッド内容に沿ったグリッドラインを表示するようにしてもよい。
【００４１】
そしてステップＳ５０７では、システム制御回路５０は、位相差ＡＦに加えてＡＥ（自動露出）処理やＥＦ（フラッシュ調光）処理を開始する。より具体的には、システム制御回路５０は、レンズ３１０に入射した光線を、一眼レフ方式によって、絞り３１２、レンズマウント３０６及び１０６、ミラー１３０及び１３２そして不図示の測光用レンズを介して、測光部４６に入射させる。これにより、システム制御回路５０は、光学像として結像された画像の露出状態を測定する、ＡＥ（自動露出）処理やＥＦ（フラッシュ調光）処理等の動作開始を指示する。このように位相差ＡＦ枠選択時に測光エリアとアスペクト比情報を表示することによって、画角のどの辺りを測光したのかが分かりやすくなり、位相差ＡＦ枠の設定がしやすくなる。
【００４２】
次に、本発明の第２の実施形態について説明する。本実施形態においては、ライブビューモードから光学ファインダに被写体像を表示させるモードに移行した際に、位相差ＡＦ枠、測光エリア等の表示を行うかどうかを選択することができる。
【００４３】
図１０は、本発明の第２の実施形態における画像情報表示部２８の表示例を示す図である。本実施形態においては、光学ファインダに被写体像を表示させるモードに移行して、画像情報表示部２８に撮像素子１４によって撮像された画像を表示しないときに、位相差ＡＦ枠、測光エリア等のうち何を画像情報表示部２８に表示させるか選択するための操作手段としての図１０の操作画面を提供する。ユーザが図１０の操作画面を操作することにより、ＡＦ中において撮像素子１４によって撮像された画像が表示されないときに、画像情報表示部２８に何を表示させるかを選択することが可能となり、位相差ＡＦ枠、測光エリア等の設定がしやすくなる。
【００４４】
次に、本発明の第３の実施形態について説明する。以下、本発明の第３の実施形態における、ＡＦ中に位相差ＡＦ枠とアスペクト比情報とを表示する動作について説明する。
【００４５】
ＡＦ枠選択操作部７２による位相差ＡＦ枠の選択は、ＡＦ枠選択操作部７２が操作された際にライブビューを行なっているか否かによって、撮像素子１４によって撮像された画像を表示している場合と表示していない場合とがある。
【００４６】
図１１（ａ）は、ライブビューを行なっている場合にＡＦ枠選択操作部７２が操作され、位相差ＡＦ枠を選択する際の画面例を示している。図１１（ａ）では、撮影モードにおいて前述のライブビューボタンやモード切替ダイヤル等の操作を介したユーザの指示によりライブビューを行なっているため、画像情報表示部２８に撮像素子１４によって撮像された画像を表示している。システム制御回路５０は、画像情報表示部２８において撮像素子１４によって撮像された画像１１０１と当該画像にて焦点検出可能な位置に位相差ＡＦ枠１１０２とを表示する。撮影時に使用する焦点検出位置はユーザが選択可能であり、選択された位相差ＡＦ枠は色、線の太さ等を変化させることで、どの位相差ＡＦ枠が選択されているかを確認することができる。さらに、システム制御回路５０はアスペクト比設定部６６で設定されたアスペクト比情報１１０３を画像情報表示部２８に表示する。
【００４７】
図１１（ｂ）は、ライブビューを行なっていない場合にＡＦ枠選択操作部７２が操作され、位相差ＡＦ枠を選択する際の画面例を示している。撮影モードにおいて前述のライブビューボタンやモード切替ダイヤル等によってユーザからライブビューを行う指示を受け付けていない状態では、ミラー１３０をアップして被写体像を光学ファインダ１０４へ導いている。そのため、被写体像は撮像素子１４へは導かれず、撮像素子１４によって撮像された画像は表示されない。この場合でも、システム制御回路５０は画像情報表示部２８にアスペクト比設定部６６で設定されたアスペクト比の矩形（アスペクト比情報）１１０４を描画し、その矩形において焦点検出可能な位置に位相差ＡＦ枠１１０５を表示する。撮影時に使用する焦点検出位置はユーザが選択可能であり、選択された焦点検出枠は色、線の太さ等を変化させることで、どの位相差ＡＦ枠が選択されているか確認できる。さらに、アスペクト比設定部６６で設定されたアスペクト比に対応するアスペクト比情報を表示する。
【００４８】
以上のように焦点検出位置を選択するときに、撮像素子１４で撮像される画像を表示していなくとも画像情報表示部２８と同一のアスペクト比の矩形（アスペクト比情報）を表示し、その上で選択可能な位相差ＡＦ枠の表示を行う。選択可能な位相差ＡＦ枠とアスペクト比情報とを表示することで、アスペクト比設定部６６で設定された画角での焦点検出位置が分かりやすくなる。なお、第３の実施形態では、選択可能な位相差ＡＦ枠の表示について説明したが、第１の実施形態と同様に、位相差ＡＦ枠に加えて測光エリアを表示してもよいし、位相差ＡＦ枠に代えて測光エリアの表示をしてもよい。
【００４９】
次に、本発明の第４の実施形態について説明する。上述したアスペクト比設定部６６によってアスペクト比を設定する際、図２（ａ）の表示に代えて、アスペクト比情報と現在設定されている位相差ＡＦ枠及び測光エリアの少なくともいずれかの一方の表示とを同時に行うものとしてもよい。図１２（ａ）〜（ｃ）は、アスペクト比設定画面であり、設定されたアスペクト比の矩形１２０１〜１２０３と、現在設定されている位相差ＡＦ枠１２０４〜１２０６とを同時に表示している例を示している。図１２（ａ）は、アスペクト比設定部６６の操作によりアスペクト比（縦：横）２：３を選択している際の表示例を示しており、アスペクト比の矩形は２：３となっている。図１２（ｂ）は、アスペクト比設定部６６の操作によりアスペクト比（縦：横）１：１を選択している際の表示例を示しており、アスペクト比の矩形は１：１となっている。図１２（ｃ）は、アスペクト比設定部６６の操作によりアスペクト比（縦：横）３：４を選択している際の表示例を示しており、アスペクト比の矩形は３：４となっている。これらの画面でアスペクト比設定部６６に含まれる決定ボタンを押下するか、シャッタスイッチＳＷ（１）等の操作によりこの画面を抜けると、アスペクト比は選択されたアスペクト比で確定する。
【００５０】
このように、画像情報表示部２８に撮像素子１４で撮像される画像が表示されないモードとなった場合に、設定されるアスペクト比を識別可能な矩形と同時に、現在設定されている位相差ＡＦ枠及び測光エリアの少なくともいずれか一方を表示する。これにより、ユーザは画角の変更をすると、画角内のどの辺りを焦点検出あるいは測光することになるのかが分かりやすくなり、画角（アスペクト比）の設定がしやすくなる。
【００５１】
また、本発明は、以下の処理を実行することによっても実現される。即ち、上述した実施形態の機能を実現するソフトウェア（プログラム）を、ネットワーク又は各種コンピュータ読み取り可能な記録媒体を介してシステム或いは装置に供給する。そして、そのシステム或いは装置のコンピュータ（またはＣＰＵやＭＰＵ等）がプログラムを読み出して実行する処理である。
【符号の説明】
【００５２】
２８：画像情報表示部、５０：システム制御回路、６６：アスペクト比設定部、６８：グリッド設定部、７０：操作部材、７２：ＡＦ枠選択操作部、７４：測光エリア選択操作部、１００：撮像装置
【図１】
0005451259.tif 000002
【図２】
0005451259.tif 000003
【図３】
0005451259.tif 000004
【図４】
0005451259.tif 000005
【図５】
0005451259.tif 000006
【図６】
0005451259.tif 000007
【図７】
0005451259.tif 000008
【図８】
0005451259.tif 000009
【図９】
0005451259.tif 000010
【図１０】
0005451259.tif 000011
【図１１】
0005451259.tif 000012
【図１２】
0005451259.tif 000013